(57)【要約】【課題】コストを抑えてロック能力を長期に亘って維持することができるロック構造及びそのロック構造を備えた開閉装置並びにその開閉装置を備えた電子機器を提供すること。【解決手段】被開閉部材１０１と一体成形され、開閉部材１３２が閉状態のときに当該開閉部材に係止してロックするロック部材１１、１２と、前記開閉部材が前記ロック部材を押圧するときのみ当該ロック部材を付勢する付勢部材１３とを備える。これにより、ロック部材には付勢力が常時掛かることは無く、ロック部材がクリープにより変形することは無いので、ロック能力を長期に亘って維持することができると共に、ロック部材を被開閉部材に形成することができるので、コストを抑えることができる。【選択図】図４
2008044131.tif 000002
【特許請求の範囲】
【請求項１】
被開閉部材に対して開閉自在な開閉部材のロック構造であって、
前記被開閉部材と一体成形され、前記開閉部材が閉状態のときに当該開閉部材に係止してロックするロック部材と、
前記開閉部材が前記ロック部材を押圧するときのみ当該ロック部材を付勢する付勢部材とを備えたことを特徴とするロック構造。
【請求項２】
前記付勢部材は、一端が前記ロック部材と前記被開閉部材に跨って当接していることを特徴とする請求項１に記載のロック構造。
【請求項３】
前記ロック部材は、凸部が形成され、前記凸部が嵌る凹部が、前記開閉部材に形成されたことを特徴とする請求項１又は２に記載のロック構造。
【請求項４】
前記ロック部材は、片持ち梁構造であることを特徴とする請求項１〜３の何れか一項に記載のロック構造。
【請求項５】
前記付勢部材は、コイルバネであることを特徴とする請求項１〜４の何れか一項に記載のロック構造。
【請求項６】
前記ロック部材の凸部は、半球状に形成されていることを特徴とする請求項３〜５の何れか一項に記載のロック構造。
【請求項７】
被開閉部材に対して開閉自在な開閉部材を備えた開閉装置であって、
請求項１〜６の何れか一項に記載のロック構造を備えたことを特徴とする開閉装置。
【請求項８】
請求項７に記載の開閉装置を備えたことを特徴とする電子機器。
【発明の詳細な説明】
【技術分野】
【０００１】
本発明は、被開閉部材に対して開閉自在な開閉部材のロック構造及びそのロック構造を備えた開閉装置並びにその開閉装置を備えた電子機器に関する。
【背景技術】
【０００２】
電子機器は、回動可能な開閉カバーを閉じ位置において被カバー体にロックする主ロック手段と、開閉カバーを閉じ方向に引き込み力を与えながらロックする補助ロック手段を有するロック装置（ロック構造）を備えたものがある。このロック装置によれば、開閉カバーの片締りの発生を防止することができる（特許文献１参照）。
【０００３】
【特許文献１】特開２０００−７９７３９号公報
【発明の開示】
【発明が解決しようとする課題】
【０００４】
上述した従来のロック装置は、主ロック手段と補助ロック手段を別部材で構成する必要があるため、コスト高になると共に、装着手数が掛かる。このような欠点を解消するものとして、補助ロック手段の代わりに被カバー体の弾性を利用したロック装置もあるが、被カバー体のクリープによる変形によりロック能力が低下するおそれがある。
【０００５】
本発明は、上記のような課題に鑑みなされたものであり、その目的は、コストを抑えてロック能力を長期に亘って維持することができるロック構造及びそのロック構造を備えた開閉装置並びにその開閉装置を備えた電子機器を提供することにある。
【課題を解決するための手段】
【０００６】
上記目的達成のため、本発明のロック構造では、被開閉部材に対して開閉自在な開閉部材のロック構造であって、前記被開閉部材と一体成形され、前記開閉部材が閉状態のときに当該開閉部材に係止してロックするロック部材と、前記開閉部材が前記ロック部材を押圧するときのみ当該ロック部材を付勢する付勢部材とを備えたことを特徴としている。これにより、ロック部材には付勢部材の付勢力が常時掛かることは無く、ロック部材がクリープにより変形することは無いので、ロック能力を長期に亘って維持することができる。更に、ロック部材を被開閉部材に一体的に形成することができるので、コストを抑えることができる。
【０００７】
また、前記付勢部材は、一端が前記ロック部材と前記被開閉部材に跨って当接していることを特徴としている。これにより、付勢手段を精度良く復元させてロック部材のクリープを確実に防止することができると共に、ロック部材の押圧によるロック部材からの付勢手段の外れを防止することができる。また、前記ロック部材は、凸部が形成され、前記凸部が嵌る凹部が、前記開閉部材に形成されたことを特徴としている。これにより、ロック構造を簡易な構造とすることができる。
【０００８】
また、前記ロック部材は、片持ち梁構造であることを特徴としている。これにより、被開閉部材にロック部材の外形のスリットを入れることで、被開閉部材にロック部材を容易に一体成形することができる。また、前記付勢部材は、コイルバネであることを特徴としている。これにより、ロック機構を安価に構成することができる。前記ロック部材の凸部は、半球状に形成されていることを特徴としている。これにより、ロック時及びロック解除時には開閉部材をロック部材の凸部の球面に沿わせてスムーズに動作させることができる。
【０００９】
上記目的達成のため、本発明の開閉装置は、被開閉部材に対して開閉自在な開閉部材を備えた開閉装置であって、上記各ロック構造を備えたことを特徴としている。また、上記目的達成のため、本発明の電子機器は、上記開閉装置を備えたことを特徴としている。これにより、上記各作用効果を奏する開閉装置又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係るロック構造を備えた電子機器である記録装置の外観構成の全体を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙に記録することができる機能を備えている。このインクジェット式プリンタ１００は、図１に示すように、全体が略直方体状のハウジング（被開閉部材）１０１で覆われている。ハウジング１０１の上部開口部は、開閉自在なカバー１０２によって覆われている。このカバー１０２は、後端の回転軸を中心に図示矢印ａ方向に回動可能に取り付けられている。ユーザは、カバー１０２を開放することにより、インクカートリッジの交換作業や内部機構のメンテナンス作業等を容易に行うことができる。また、ハウジング１０１の上面における前面側には操作部１１０が配設され、上面における背面側には給紙部１２０が配設され、前面側には本実施形態のロック構造１０（図２等参照）を含む排紙部１３０が配設されている。
【００１２】
操作部１１０は、押しボタン式のパワー系及び操作系のスイッチ１１１が配設されている。給紙部１２０は、上方に向かって矩形状に開口した給紙口１２１を開閉する機能と、給紙する用紙を１枚もしくは複数枚サポートする機能を併せ持ったペーパーサポート１２２を備えている。このペーパーサポート１２２は、後端の回転軸を中心に図示矢印ｂ方向に回動可能に取り付けられている。ユーザは、インクジェット式プリンタ１００を使用又は不使用のときは、ペーパーサポート１２２の両側に指を掛けてペーパーサポート１２２を開閉することができるので、用紙の差し入れを容易に行うことができ、また給紙口１２１内への埃の侵入を防止することができる。
【００１３】
排紙部１３０は、前方に向かって矩形状に開口した排紙口１３１を開閉する機能と、内部に設けられた排紙される用紙を１枚もしくは複数枚スタックする図示しないスタッカを覆う機能を併せ持ったカバースタッカ（開閉部材）１３２を備えている。このカバースタッカ１３２は、下端の回転軸を中心に図示矢印ｃ方向に回動可能に取り付けられている。そして、カバースタッカ１３２が排紙口１３１を閉じた状態を維持するために、ロック構造１０（図２等参照）が設けられている。ユーザは、インクジェット式プリンタ１００を使用又は不使用のときは、カバースタッカ１３２の上部に指を掛けてカバースタッカ１３２を開閉することができるので、セッティングを容易に行うことができ、また排紙口１３１内への埃の侵入を防止することができる。更に、記録後の用紙は常に前面側から排紙されるので、ユーザは用紙を容易に取り出すことができる。
【００１４】
図２は、上記ロック構造１０をカバースタッカ１３２を開いた状態でハウジング１０１外部から見た斜視図、図３は、上記ロック構造１０をカバースタッカ１３２を閉じた状態でハウジング１０１内部から見た斜視図、図４は、図３における上記ロック構造１０とその周辺の断面図である。このロック構造１０は、第１係止部（ロック部材）１１、第２係止部（ロック部材）１２及び圧縮コイルバネ（付勢部材）１３を備えている。
【００１５】
第１係止部１１は、図２及び図３に示すように、ハウジング１０１のカバースタッカ１３２の収納部側面（以下、カバースタッカ収納部側面という）１０１ａの上部に谷形状にスリット１１ａが入れられることにより舌片状に形成されている。これにより、第１係止部１１をカバースタッカ収納部側面１０１ａに容易に一体成形することができる。この第１係止部１１は、図２及び図４に示すように、一端側がカバースタッカ収納部側面１０１ａから内側方向に突出する半球状の突起（凸部）１１ｂとして突設され、他端側がカバースタッカ収納部側面１０１ａと一体化されている。このような第１係止部１１は、突起１１ｂに対しカバースタッカ収納部側面１０１ａに垂直な外力が加わることにより、他端側を支点として撓む片持ち梁の機能を備えている。
【００１６】
第２係止部１２は、図２及び図４に示すように、カバースタッカ１３２の側面１３２ａの上部、即ちカバースタッカ１３２を閉じた状態にしたときに第１係止部１１の突起１１ｂの位置と対応する位置に一体成形されている。この第２係止部１２は、カバースタッカ１３２の側面１３２ａに円形状の孔（凹部）１２ａとして穿設されている。即ち、第２係止部１２は、図４に示すように、第１係止部１１が撓んでいない元の状態となるように突起１１ｂの先端が嵌り込むことが可能な径の孔１２ａとして穿設されている。このような第２係止部１２の孔１２ａは、第１係止部１１の突起１１ｂが嵌り込むことにより、カバースタッカ１３２の側面１３２ａに押圧されて撓んだ状態の第１係止部１１を撓んでいない元の状態にさせる機能を備えている。
【００１７】
圧縮コイルバネ１３は、図３及び図４に示すように、一端側が第１係止部１１の突起１１ｂ付近に位置し、他端側がハウジング１０１のカバースタッカ収納部側面１０１ａに対し更に外側に設けられている内壁１０１ｂに位置するように配設されている。即ち、圧縮コイルバネ１３は、図４に示すように、一端側の中空部が、第１係止部１１の突起１１ｂの反対面側に突設された突設部１１ｃと、その突設部１１ｃ近傍のカバースタッカ収納部側面１０１ａの内側面側に突設された突設部１０１ａａを跨ぐように嵌め込まれて係止され、他端側の中空部が、内壁１０１ｂに突設された凸部１０１ｂａに嵌め込まれて係止されている。このような圧縮コイルバネ１３は、カバースタッカ１３２の側面１３２ａに押圧されて撓む第１係止部１１に追従して圧縮し、第１係止部１１の突起１１ｂが第２係止部１２の孔１２ａに嵌り込む際もしくはカバースタッカ１３２の側面１３２ａから離れた際に、第１係止部１１を撓んでいない元の状態に復元させるためにカバースタッカ収納部側面１０１ａの内側面に当接するまで伸張する機能を備えている。
【００１８】
このような構成のロック構造１０の動作について説明する。ユーザがカバースタッカ１３２を開き始めると、第２係止部１２の孔１２ａの縁部が第１係止部１１の一端側の突起１１ｂを当該球面に沿って押圧するので、第１係止部１１は他端側を支点として撓む。そして、圧縮コイルバネ１３は第１係止部１１の一端側に押圧されて圧縮する。更にユーザがカバースタッカ１３２を開いてカバースタッカ１３２の側面１３２ａが第１係止部１１の突起１１ｂから離れると、圧縮コイルバネ１３は復元力により第１係止部１１の一端側を先程とは逆方向に押圧する。このとき、圧縮コイルバネ１３は、一端側の中空部が第１係止部１１の突設部１１ｃとカバースタッカ収納部側面１０１ａの突設部１０１ａａを跨ぐように嵌め込まれて係止されているので、カバースタッカ収納部側面１０１ａの内側面に当接するまで伸張する。従って、圧縮コイルバネ１３は、第１係止部１１を先程とは逆方向に撓ませることは無く、第１係止部１１を撓んでいない元の状態に復元させるのみに留まる。
【００１９】
一方、ユーザがカバースタッカ１３２を閉じ始めると、カバースタッカ１３２の側面１３２ａが第１係止部１１の一端側の突起１１ｂを当該球面に沿って押圧するので、第１係止部１１は他端側を支点として撓む。そして、圧縮コイルバネ１３は第１係止部１１の一端側に押圧されて圧縮する。更にユーザがカバースタッカ１３２を閉じて第２係止部１２の孔１２ａの位置に第１係止部１１の突起１１ｂが達すると、圧縮コイルバネ１３は復元力により第１係止部１１の一端側を先程とは逆方向に押圧する。このとき、圧縮コイルバネ１３は、一端側の中空部が第１係止部１１の突設部１１ｃとカバースタッカ収納部側面１０１ａの突設部１０１ａａを跨ぐように嵌め込まれて係止されているので、カバースタッカ収納部側面１０１ａの内側面に当接するまで伸張する。従って、圧縮コイルバネ１３は、第１係止部１１を先程とは逆方向に撓ませることは無く、第１係止部１１を撓んでいない元の状態に復元させるのみに留まる。
【００２０】
以上のように、本実施形態のロック構造１０によれば、カバースタッカ１３２の側面１３２ａが第１係止部１１の一端側の突起１１ｂを押圧するときのみ当該第１係止部１１の一端側を付勢する圧縮コイルバネ１３を備えているので、第１係止部１１には付勢力が常時掛かることは無い。従って、第１係止部１１がクリープにより変形することは無く、ロック能力を長期に亘って維持することができる。この圧縮コイルバネ１３は、一端が第１係止部１１の突設部１１ｃとカバースタッカ収納部側面１０１ａの突設部１０１ａａに跨って当接しているので、圧縮コイルバネ１３を精度良く復元させて第１係止部１１のクリープを確実に防止することができると共に、第１係止部１１の押圧による突設部１１ｃからの圧縮コイルバネ１３の外れを防止することができる。また、第１係止部１１の突設部１１ｃは、半球状に形成されているので、ロック時及びロック解除時にはカバースタッカ１３２の側面１３２ａを突設部１１ｃの球面に沿わせてカバースタッカ１３２をスムーズに動作させることができる。
【００２１】
尚、上述した実施形態では、第１係止部１１を片持ち梁構造としたが、弾性変形可能な構造であれば例えば両端支持構造等であっても良い。また、第２係止部１２は第１係止部１１の突起１１ｂが係止可能であれば孔１２ａの代わりに窪み等であっても良い。圧縮コイルバネ１３を使用したが、板バネ等の各種バネやゴム等の弾性部材を使用しても良い。
【産業上の利用可能性】
【００２２】
ロック構造は、開閉部材以外であってもロックが必要な構造部材であれば適用可能である。また、開閉装置を備えた電子機器であれば、例えばファクシミリ装置、コピー装置、スキャナ等の記録装置を含む一般的な電子機器であっても適用可能である。
【図面の簡単な説明】
【００２３】
【図１】本発明の一実施の形態に係るロック構造を備えた電子機器である記録装置の外観構成の全体を示す斜視図である。
【図２】図１のプリンタのロック構造をカバースタッカを開いた状態でハウジング外部から見た斜視図である。
【図３】図１のプリンタのロック構造をカバースタッカを閉じた状態でハウジング内部から見た斜視図である。
【図４】図３におけるロック構造とその周辺の断面図である。
【符号の説明】
【００２４】
１０  ロック構造、１１  第１係止部、１１ａ  スリット、１１ｂ  突起、１１ｃ  突設部、１２  第２係止部、１２ａ  孔、１３  圧縮コイルバネ、１００  インクジェット式プリンタ、１０１  ハウジング、１１０  操作部、１２０  給紙部、１３０  排紙部、１３２  カバースタッカ
【図１】
2008044131.tif 000003
【図２】
2008044131.tif 000004
【図３】
2008044131.tif 000005
【図４】
2008044131.tif 000006